(57)【特許請求の範囲】
【請求項１】
有価証券類上に、少なくとも１つ以上のＯＶＤの情報及び少なくとも１つ以上の潜像模様の情報が、ある観察角度において同時に出現することが可能であることを特徴とする印刷物。
【請求項２】
上記ＯＶＤの情報及び上記潜像模様の情報は、同時に出現した際に目視によって確認できることを可能とすることを特徴とする請求項１記載の印刷物。
【請求項３】
請求項１記載の印刷物において、ある観察角度においては、一方の潜像模様の情報とＯＶＤの情報が出現し、別の観察角度においてはＯＶＤの情報と他方の潜像模様の情報が出現することを特徴とする印刷物。
【請求項４】
上記ＯＶＤの情報及び上記潜像模様の情報が同時に出現しないと意味ある情報が確認できないことを特徴とする請求項１記載の印刷物。
【請求項５】
ＯＶＤ上に、偽造防止凹凸構造を施し、潜像情報として観察できる出現角度及びＯＶＤ観察視域を設計段階において決定し、ＯＶＤの情報及び偽造防止凹凸構造潜像模様の情報の出現角度が異なるまたは同じ観察角度とすることを特徴とする印刷物。
【請求項６】
ＯＶＤ上に凹版印刷による偽造防止凹凸構造を施したことを特徴とする印刷物であって、上記偽造防止凹凸構造が透明インクで印刷されたことを特徴とする印刷物。
【請求項７】
少なくとも１つ以上のＯＶＤの情報及び少なくとも１つ以上の潜像模様の情報で形成された有価証券類上の真偽判別方法であって、目視によって、上記ＯＶＤの情報及び上記潜像模様の出現する情報を同時に確認することを特徴とする印刷真偽判別方法。
【請求項８】
角度を変えて上記ＯＶＤの情報及び上記潜像模様の出現する情報を確認することを特徴とする請求項７記載の印刷真偽判別方法。
【発明の詳細な説明】
【０００１】
【発明の属する技術分野】
本発明は、偽造防止効果が必要な有価証券類に対し、ＯＶＤ等の光学的特性を利用し、ＯＶＤとその他の技術を複合的に組み合わせることにより、偽造防止効果を向上させる構造を有する有価証券類に関するものである。
【０００２】
【従来の技術】
今までの有価証券類については、基材に対しＯＶＤを貼り付けたもの、さらにＯＶＤの上に偽造防止凹凸構造による印刷を施し、割り印状にし、ＯＶＤを剥がした場合などの偽造防止効果を図られていた。例えば（１）特許第３０５３２０９号による、箔の上に施す偽造防止凹凸構造によるもの。（２）特開２００１−７１６９８による、フィルタを介して潜像模様を認識することが出来るものなどがある。
【０００３】
【発明が解決しようとする課題】
本発明の課題は、有価証券類等の偽造防止に関わるものであり、日々進歩する技術によって、従来単独の要素技術として使用されてきた偽造防止技術単独の効果が不安であるため、これら偽造防止技術を組み合わせることにより、新たな偽造防止効果を図り、複合偽造防止技術を提供するものであり、通常容易に真偽判断できる必要のある裸眼による目視によって情報を確認する鑑定要素が望まれていた。
【０００４】
【課題を解決するための手段】
上記課題を解決するために有価証券類上に、少なくとも１つ以上のＯＶＤの情報及び少なくとも１つ以上の潜像模様の情報が同時に出現することが可能であることを特徴とする印刷物を提供する。
【０００５】
またもうひとつの手段として、ＯＶＤ上に偽造防止凹凸構造を施したことを特徴とする印刷物を提供する。
【０００６】
更に望ましくは、ＯＶＤの情報及び潜像模様の情報は、同時に出現した際に裸眼による目視によって確認できることを可能とすることを特徴とする。
【０００７】
更に望ましくは、ＯＶＤが透明であることを特徴とする。
【０００８】
更に望ましくは、ＯＶＤが回折格子による反射層を施したことを特徴とする。
【０００９】
更に望ましくは、印刷物において、ある観察角度においては、一方の潜像模様の情報とＯＶＤの情報が出現し、別の観察角度においてはＯＶＤの情報と他方の潜像模様の情報が出現することを特徴とする。
【００１０】
更に望ましくは、ＯＶＤの情報及び潜像模様の情報が同時に出現しないと意味ある情報が確認できないことを特徴とする。
【００１１】
更に望ましくは、ＯＶＤ上に、偽造防止凹凸構造を施し、潜像情報として観察できる出現角度及びＯＶＤ観察視域を設計段階において決定し、偽造防止凹凸構造の潜像模様の異なるまたは同じ観察角度とすることを特徴とする。
【００１２】
更に望ましくは、凹版印刷による偽造防止凹凸構造を透明インクで印刷されたことを特徴とする。
【００１３】
更に望ましくは、ＯＶＤ上にエンボスによる偽造防止凹凸構造の画線による潜像模様を付加し、角度をつけてＯＶＤを見た場合、ＯＶＤの情報とともに、潜像模様の情報が浮かび出すことを特徴とする。
【００１４】
更に望ましくは、少なくとも１つ以上のＯＶＤの情報及び少なくとも１つ以上の潜像模様の情報で形成された有価証券類上の真偽判別方法であって、裸眼による目視によって、ＯＶＤの情報及び上記潜像模様の出現する情報が同時に確認することを特徴とする印刷真偽判別方法を提供する。
【００１５】
更に望ましくは、角度を変えてＯＶＤの情報及び上記潜像模様の出現する情報を確認することを特徴とする。
【００１６】
以上のように、有価証券類上に従来単独の要素技術として使用されてきた偽造防止技術を、組み合わせることにより、裸眼による目視によって情報を確認することが可能であると共に、情報に対し裸眼による目視の確認できる角度等の制限を加えること、確認する情報に一定の決まりを持たせることにより相乗的に偽造防止効果を向上させることで解決される。
【００１７】
【発明の実施の形態】
本発明に関する実施形態を、実施例に基づき図面を参照して説明する。実施例では、有価証券類上のＯＶＤを１カ所、潜像模様を２カ所配置した場合であり、実際偽造防止技術として使用する場合、この数量に限定したものではなく、さらに多くの組み合わせを行うことで偽造防止効果が増すものである。図１〜６は本発明の実施例の印刷物及び真偽判別方法を説明する図であり、以下説明を行うものである。
（実施例１）
【００１８】
まず図１（ａ）は、本発明の有価証券類１に対し、透明ＯＶＤ２を熱と圧力を加えることにより有価証券類１の基材上にＯＶＤの糊で貼り付けてあり、互いに製造方法が異なるか、または同じ製造方法でも出現する情報が異なる２つの潜像模様３、４を有価証券類１の基材上に施した印刷物である。構造として、ＯＶＤの下には印刷が施されている。本発明で潜像模様としては、印刷によるもの、用紙の凹凸状態の形状によるものがある。有価証券類１に対し透明ＯＶＤ２を貼り付け、透明ＯＶＤ２を貼り付けた有価証券類１を、図１（ｂ）のように真上（θ１）から観察した場合、透明ＯＶＤ２の情報（文字、図柄）は見えず透明ＯＶＤ２の下にある印刷の図柄５が見える。
【００１９】
図２（ｂ）のように斜めに傾ける等の観察角度（θ２）をつけて有価証券類１を観察した場合、図２（ａ）有価証券類１に貼付された透明ＯＶＤ６の情報ＡＢＣが出現する。この際、製造方法が異なるか、または同じ製造方法でも出現する情報が異なる潜像模様７の情報ＡＢＣ、潜像模様８の情報ＡＢＣが同時に出現する。このように観察角度を変化させることにより透明ＯＶＤ６及び潜像模様７、８の情報が出現する印刷物である。
（実施例２）
【００２０】
図１（ｃ）は、実施例１と同じ構造であるがＯＶＤ２'に金属等による蒸着による反射層を施した場合、金属等による蒸着による反射層を施したＯＶＤ２'を貼付した下の印刷図柄は見えないが、図２（ｂ）のように観察角度（θ２）を変化させた時、図２（ａ）に示すように金属等による蒸着による反射層を施したＯＶＤ６の情報ＡＢＣが出現し、同時に製造方法が異なるか、または同じ製造方法でも出現する情報が異なる潜像模様７の情報ＡＢＣ、潜像模様８の情報ＡＢＣが出現する印刷物である。
（実施例３）
【００２１】
図３（ｂ）は、ある観察角度（θ２）においては、図３（ａ）に示すようにＯＶＤ９の情報ＡＢＣと一方の潜像模様１０の情報ＡＢＣが出現し、他方の潜像模様１１の情報は出現しない。図４（ｂ）は、別の観察角度（θ３）を与えると図４（ａ）に示すようにＯＶＤ１２の情報ＤＥＦと他方の潜像模様１４の情報ＤＥＦが出現し、一方の潜像模様１３の情報は出現しない印刷物である。
（実施例４）
【００２２】
図５は複数または特定の情報が揃わないと意味を持った情報にならない構成の実施例であり、図５（ｂ）は、ある観察角度（θ２）においては、図５（ａ）に示すようにＯＶＤ１５の情報ＤＥＦと潜像模様１６の情報ＡＢＣ、潜像模様１７の情報ＧＨＩの３つが揃うことにより、一つの意味のある情報となる印刷物である。
（実施例５）
【００２３】
図６はＯＶＤ上に偽造防止凹凸構造を施す実施例である。この際、図６（ｂ）に示すように偽造防止凹凸構造１９による潜像模様の情報として出現する観察角度（θ２）を決めておく。また、ＯＶＤ１８の情報の観察視域も決めておき、偽造防止凹凸構造１９による潜像模様の情報と同じ観察角度としておく。例えば、ＯＶＤの視域を３０度、偽造防止凹凸構造による潜像情報が３０度傾斜で画像出現とする。このようにして、図６（ａ）に示すようにＯＶＤ１８の情報ＤＥＦ及び偽造防止凹凸構造１９による潜像模様の情報ＡＢＣとを、同じ観察角度（θ２）で同時に確認することができる印刷物である。
（実施例６）
【００２４】
前記図６（ｃ）は、実施例５と同じ構成であるが偽造防止凹凸構造による潜像模様の情報１９'に凹版印刷による透明インクを載せる印刷方法とした場合、潜像模様の情報１９'の複写が不可能となる特徴をもつ印刷物となる。
（実施例７）
【００２５】
前記図６（ｄ）は、実施例５と同じ構成であるが偽造防止凹凸構造による潜像模様の情報１９"にエンボスによるインクを載せない印刷方法で構成される画線とした場合、ある観察角度でＯＶＤ１８を見ると、ＯＶＤ１８の情報ＤＥＦとともに、潜像模様１９"の情報ＡＢＣが確認することが可能な印刷物となる。
【００２６】
【発明の効果】
以上の説明から明らかのように本発明によれば、有価証券類の偽造防止効果を向上させることと併せて裸眼による目視で真偽判断を容易することが可能となる。
【図面の簡単な説明】
【図１】本発明実施例１記載の透明ＯＶＤ１個と潜像模様２個から構成される有価証券類を上から見た概略図である。
【図２】本発明実施例１及び２記載の図１の有価証券類をある観察角度に傾けた際、透明または反射層を施したＯＶＤの情報及び潜像模様の情報を読み出すことが可能な状態となる。
【図３】本発明実施例３記載の図１の有価証券類をある観察角度に傾けた際、ＯＶＤの情報及び一方の潜像模様の情報を読み出すことが出来る状態となる。他方の潜像模様の情報については読み出すことが出来ない状態である。
【図４】本発明実施例３記載の図３の有価証券類を別の観察角度に傾けた際、ＯＶＤの情報及び他方の潜像模様の情報を読み出すことが出来る状態となる。一方の潜像模様の情報については読み出すことが出来ない状態である。
【図５】本発明実施例４記載の図２の有価証券類をある観察角度に傾けた際、ＯＶＤの情報及び潜像模様の情報が意味をなす情報として、読み出すことが出来る状態となる。
【図６】本発明実施例５、６または７記載のＯＶＤ上に偽造防止凹凸構造を施し、ある観察角度に傾けた際、ＯＶＤの情報及び偽造防止凹凸構造による潜像模様の情報を読み出すことが出来る状態となる。
【符号の説明】
１    有価証券類
２、２'、６、９、１２、１５、１８    ＯＶＤ
３、４、７、８、１０、１１、１３、１４、１６、１７    潜像模様
５      印刷の図柄
１９、１９'、１９"    偽造防止凹凸構造
【図１】
0003820476.tif 000002
【図２】
0003820476.tif 000003
【図３】
0003820476.tif 000004
【図４】
0003820476.tif 000005
【図５】
0003820476.tif 000006
【図６】
0003820476.tif 000007